(57)【特許請求の範囲】
【請求項１】
特にオートバイのドライバーまたは自転車乗り専用の独立型の着用できる保護具（１）であって、該保護具（１）は、
使用者によって装着され、使用者の身体の少なくとも胴部を覆うのに適した、薄層の支持布（２）であって、該薄層の支持布（２）は、摩耗および摩擦応力に実質的に耐え得ない、上記薄層の支持布（２）と、
少なくとも一つの膨張可能な袋（１３）であって、該少なくとも一つの膨張可能な袋（１３）は、上記薄層の支持布（２）に設けられたシート（１９）に収容されている、少なくとも一つの膨張可能な袋（１３）と、
上記少なくとも一つの膨張可能な袋（１３）に接続され、膨張手段として機能する少なくとも一つのガス発生器（１２）であって、該少なくとも一つのガス発生器（１２）は、上記薄層の支持布（２）に直接または間接的に固定されている、上記少なくとも一つのガス発生器（１２）と、
上記薄層の支持布（２）に直接または間接的に固定された制御ユニット（１０）と、
上記制御ユニット（１０）に接続され、上記薄層の支持布（２）に設けられた感知手段（５）であって、上記制御ユニット（１０）は、上記感知手段によって、危険な状況が検出されたとき、上記少なくとも一つのガス発生器（１２）を活性化するのに適している、上記感知手段（５）、
を含むことを特徴とする独立型の着用できる保護具（１）。
【請求項２】
請求項１の独立型の着用できる保護具（１）であって、上記感知手段（５）は、上記薄層の支持布（２）の内側に一体化されていることを特徴とする独立型の着用できる保護具（１）。
【請求項３】
請求項１の独立型の着用できる保護具（１）であって、上記薄層の支持布（２）は、ポリエステル、ポリアミド、または他の合成繊維で作られていることを特徴とする独立型の着用できる保護具（１）。
【請求項４】
請求項１の独立型の着用できる保護具（１）であって、上記薄層の支持布（２）の厚さが、０．１ｍｍと０．６ｍｍ間、好ましくは、０．２ｍｍと０．４ｍｍの間に含まれることを特徴とする独立型の着用できる保護具（１）。
【請求項５】
請求項１の独立型の着用できる保護具（１）であって、上記少なくとも一つの膨張可能な袋（１３）は、使用者の胸部および／または肋骨および／または肩部および／または背中および／または臀部を覆うための上記薄層の支持布（２）上に配置されていることを特徴とする独立型の着用できる保護具（１）。
【請求項６】
請求項１の独立型の着用できる保護具（１）であって、膨張可能な袋（１３）のシート（１９）は、上記薄層の支持布（２）の内面に配置されたポケットであることを特徴とする独立型の着用できる保護具（１）。
【請求項７】
請求項１の独立型の着用できる保護具（１）であって、複数のガス発生器（１２）を含み、該ガス発生器（１２）は、上記制御ユニット（１０）によって同時に作動化され得るか、または、異なる時点で上記制御ユニット（１０）によって作動化され得ることを特徴とする独立型の着用できる保護具（１）。
【請求項８】
特にオートバイのドライバーまたは自転車乗り専用の防護衣類アセンブリであって、該防護衣類アセンブリは、
摩耗および摩擦応力に耐える材料で作られた、少なくとも一つの防護衣服（３０；５０）、
請求項１〜７のいずれか一項の独立型の着用できる保護具（１）であって、該独立型の着用できる保護具（１）は、上記少なくとも一つの防護服（３０；５０）の下に着用される、上記少なくとも一つの防護衣服（３０；５０）を含み、
上記少なくとも一つの防護衣服（３０；５０）は、上記独立型の着用できる保護具の少なくとも一つの膨張可能な袋（１３）上に実質的に重ねられる、少なくとも一つの可撓領域（３１，３２；５１）を設えられ、上記少なくとも一つの可撓領域（３１，３２；５１）は、上記少なくとも一つの膨張可能な袋（１３）が、上記独立型の着用できる保護具（１）の上記ガス発生器（１２）によって膨張させられた後、拡張することを可能にすることを特徴とする防護衣類アセンブリ。
【請求項９】
請求項８の防護衣類アセンブリであって、上記少なくとも一つの保護衣服（３０；５０）は、スーツ（３０）またはジャケット（５０）を含むことを特徴とする．防護衣類アセンブリ。
【請求項１０】
請求項８の防護衣類アセンブリであって、上記少なくとも一つの可撓領域（３１，３２；５１）は、上記少なくとも一つの防護衣服（３０；５０）の、脇の下および／または腕および／または鼠径部の領域に設けられることを特徴とする防護衣類アセンブリ。
【請求項１１】
請求項８の防護衣類アセンブリであって、上記少なくとも一つの可撓領域（３１，３２；５１）は、伸縮性材料で作られていることを特徴とする防護衣類アセンブリ。
【請求項１２】
請求項８の防護衣類アセンブリであって、上記少なくとも一つの可撓領域（３１，３２；５１）は、少なくとも一つの保護衣服（３０；５０）に着脱可能に結合されたフラップであることを特徴とする防護衣類アセンブリ。
【請求項１３】
特にオートバイのドライバーまたは自転車乗り専用の防護衣類アセンブリであって、該防護衣類アセンブリは、
使用者の身体の一部を覆うのに適した、少なくとも一つの衣服（３０；５０）、
請求項１〜７のいずれか一項の独立型の着用できる保護具（１）であって、該独立型の着用できる保護具（１）は、上記少なくとも一つの衣服（３０；５０）の上に着用される、上記独立型の着用できる保護具（１）を含み、
追加の保護要素（２４，２５）が、上記薄層の支持布（２）の外表面に設けられ、上記追加の保護要素（２４，２５）の機能は、上記独立型の着用できる保護具（１）によって提供される衝撃保護を向上させ、摩耗および引き裂きに対して、上記少なくとも一つの膨張可能な袋（１３）を保護することであることを特徴とする防護衣類アセンブリ。
【請求項１４】
請求項１３の防護衣類アセンブリであって、上記追加の保護要素（２４，２５）は、肩部保護材（２４）および／または胸部保護材（２５）を含むことを特徴とする防護衣類アセンブリ。
【発明の詳細な説明】
【技術分野】
【０００１】
本発明は、独立型の着用できる保護具に関する。また、本発明は、防護衣服と独立型の着用できる保護具を含む、防護衣類アセンブリに関する。
【０００２】
特に、本発明は、例え、排他的でない方法においても、モーターサイクリストによって着用されるのに適した、独立型の着用できる保護具および防護衣類アセンブリに言及する。
【背景技術】
【０００３】
オートバイ乗車は、ライダーが衝突状況に関与する場合に、ライダーが走行するスピード、衣類が提供できる限られた保護により、危険な活動であることが知られている。衝突状況として、車両のコントロールの喪失に続くライダーの落下、および／または、ライダーによって運転されるオートバイの他の車両または障害物との衝突、の両方が意図されるべきである。
【０００４】
車両のコントロールの喪失は、地面の上でのライダーの滑りか、地面に衝突する前に空中に放たれるライダーの突然の落車のいずれかをもたらし得る。
【０００５】
傷害のリスクを低減するため、ライダーは防護衣類を着用する。そのような防護衣類は、一般的に、いくつかの領域、例えば、肩、膝、背中の領域に、衣服に作用する衝撃力を制限するのに適したいくつかの身体防護具を備えた、革や合成材料で作られた、耐摩耗性の衣服から成る。
【０００６】
最近、衝撃に対してオートバイ乗車用防護衣類によって提供される保護は、膨張可能な保護器具の、耐摩耗性衣服への一体化により改善されている。
【０００７】
特許文献１および特許文献２は、長年にわたって、同じ出願人によって提案された、膨張可能な保護器具を備える、耐摩耗性衣服のいくつかの例を示している。
【０００８】
耐摩耗性衣服は、膨張式保護器具の構成要素、すなわち、センサのネットワーク、制御ユニット、膨張手段および膨張式袋が、衣服の構造と統合され、したがって、耐摩耗性の衣服と一緒に全体を形成するという事実によって特徴づけられる。
【０００９】
制御ユニットは、ライダーの状態を監視するのに適しており、衝突状況が検出されたとき、膨張手段を迅速に活性化することができ、それによって、膨張手段に接続された膨張式袋は、防護衣服の衝撃吸収性を向上させるために膨張させられる。
【００１０】
有利には、膨張式袋は、その収縮した状態において、非常に小さな厚みとされ、したがって、衝突状況に応じてのみ膨張させられ、それらが一体化された耐摩耗性衣服の嵩および／または厚みは、実質的に増加させられない。そのため、耐摩耗性衣服の構造への膨張可能な保護器具の一体化は、通常の乗車中、ライダーに邪魔にならない。
【００１１】
しかし、前述の耐摩耗性衣服が、高く評価され、ライダーに安全性の高いレベルを提供しているとしても、いくつかの問題が、耐摩耗性衣服への膨張可能な保護器具の一体化から生じる。
【００１２】
第１の欠点は、ライダーが事故を経験するなら、または、するときに、耐摩耗性衣服が破損されることを引き起こし、ライダーは、同じレース、および／または、同じレースシーズンを続行するために、彼にとって適切なサイズの、その単独で膨張可能な保護器具を備える、別の新しい耐摩耗性衣服を手に入れねばならないということである。
【００１３】
また、各ライダーは、彼／彼女が操縦せねばならない、異なる気候季節や地域の環境条件により、また、少なくとも二つの異なる季節、つまり、秋プラス冬と春プラス夏に適した、（膨張可能な保護器具付きの）入手できる耐摩耗性の衣服を持つ必要がある。
【００１４】
実際のところ、秋／冬の間に使用される耐摩耗性衣服は、春／夏の間に使用されるものとは異なって製造される。
【００１５】
さらに、膨張可能な器具は、衣服の構造を損なうことなく、容易に摩耗防護衣服から分離されることができないので、膨張可能な器具が作動されたとき、したがって、膨張手段が再装着されねばならないとき、全体の防護衣服が、製造業者に戻されねばならない。この場合には、防護衣服の輸送は、衣服が嵩高であるためコストがかかる。
【００１６】
さらに、摩耗防護衣服のライフサイクルと膨張可能な保護器具のそれとは、時間的に異なるかもしれない。例えば、衣服が何らかの形で破れたり、経時的にまさに使い果たされたりするとき、膨張可能な器具は、まだ完全に使用可能であるかもしれない。したがって、これまで、ライダーが、彼／彼女の摩耗防護服を交換する意思があるなら、彼／彼女は、少なくとも一つの別の膨張可能な保護器具の不要なコストを維持せねばならなかっただろう。
【００１７】
上記の状況および要請は、無視できないほどに、各ライダーのコストを増加させることが容易に理解される。
【００１８】
特許文献３から、衣類に着脱自在に組み込まれるか、または取り付けられるのに適した保護器具が知られている。
【００１９】
特許文献３に開示された保護器具の要素は、皮革、または、同様の特性を提示する合成材料で作られた２重の層から構成され、内層は、繊細で柔らかであり、外層は、より厚く、より剛性である。
【００２０】
保護機能を有する外層の存在により、特許文献３の保護器具は、使用者の身体の異なる形状に、それ自身で容易には適応できない。
【００２１】
さらに、特許文献３の保護装置は、危険な状況を検出するのに適した感知手段を備えていない。実際のところ、特許文献３の保護器具は、オートバイに関してオートバイ乗車者の飛び出しが、繋留ケーブルの突然の取外しにつながるときに作動され、繋留ケーブルは、オートバイに固定されたまま留まり、保護器具へのガスの導入を解放する。したがって、特許文献３の保護器具は、独立型の器具ではない。
【００２２】
特許文献４から、エアバッグを備えた防護衣類が知られている。特許文献４の防護衣類は、エアバッグの膨張、展開を可能にする伸縮性インサートを含む。
【００２３】
しかし、特許文献４の防護衣類は、分離可能な裏地を備えておらず、エアバッグは、直接、防護服の上に配置される。したがって、全体の防護服を交換することなくエアバッグを交換することは不可能である。
【先行技術文献】
【特許文献】
【００２４】
【特許文献１】欧州特許第１６１５５１４号明細書
【特許文献２】国際公開第２０１０／１４０１７６号
【特許文献３】米国特許第４３９７０４６号明細書
【特許文献４】米国特許出願公開第２００６／０１７５８１０号明細書
【発明の概要】
【発明が解決しようとする課題】
【００２５】
本発明の主な目的は、上記の問題を実質的に解決することにあり、および、部分的には、（膨張可能な保護器具を備えた）耐摩耗性衣服が破損を受ける事故を経験する、ライダーが、事故から短時間で、彼／彼女の安全条件、すなわち、耐摩耗性衣服と完全な動作条件における膨張可能な保護器具の両方を有することを、容易に復元することを可能にすることにある。このようにして、ライダーは、同じレースを続けること、および／または、追加費用なしで、レースシーズンを継続することを可能とすることの両方を許容される。
【００２６】
本発明の別の目的は、どの外部器具にも接続される必要なしに、ライダーに高い保護を提供し、防護衣服の構造の内部に一体化され得る、独立型の構造を有する膨張可能な保護器具を提供することである。
【００２７】
本発明のさらなる目的は、適合性のある摩耗防護衣服と組み合わせて使用され得る、膨張可能な保護器具を提供することである。
【００２８】
本発明の別の目的は、既存の摩耗防護衣服の下または上に容易に着用され得る、膨張可能な保護器具を提供することである。
【００２９】
最後に、本発明のさらなる目的は、容易に維持され、使用された後に再装着され得る、膨張可能な保護器具を提供することである。
【課題を解決するための手段】
【００３０】
これらおよび他の目的は、独立型の着用できる保護具からなる、膨張可能な保護器具を提供することによって達成され、独立型の着用できる保護具は、薄層の支持布、支持布に設けられたシート内に収容された少なくとも一つの膨張可能な袋、膨張可能な袋に接続されて膨張手段として機能し、支持布に直接または間接的に固定された、少なくとも一つのガス発生器、支持布に、また、直接または間接的に固定され、膨張手段を作動させるのに適した制御ユニット、および、制御手段に接続され、支持布に設けられた感知手段を含む。
【００３１】
これらおよび他の目的はまた、摩耗および摩擦応力に耐える材料で作られた防護衣服、および、独立型の着用できる保護具を含む、防護衣類アセンブリを提供することによって達成される。
【００３２】
本発明の利点および特徴的な態様は、添付図面を参照する、独立型の着用できる保護具の好ましいが排他的ではない実施形態の以下の説明からより明らかになるであろう。
【図面の簡単な説明】
【００３３】
【図１】本発明による独立型の着用できる保護具の第１の実施形態の正面図である。
【図２】図１の独立型の着用できる保護具の背面図である。
【図２Ａ】本発明による独立型の着用できる保護具の第２の実施形態の、図２のものと同様の背面図である。
【図３】図２ＡのIII−III平面に従った、独立型の着用できる保護具の構成要素の模式的な分解断面図である。
【図３Ａ】本発明による独立型の着用できる保護具の構成要素の概略的な分解図である。
【図３Ｂ】図３Ａの独立型の着用できる保護具の構成要素の組み立て図である。
【図４】第１の動作状態における、本発明による防護衣類アセンブリの別の実施形態の正面図である。
【図５】第２の動作状態における、図４の防護衣類アセンブリの正面図である。
【図６】本発明による、独立型の着用できる保護具のさらなる実施形態の正面図である。
【図７】第１の動作状態における、本発明による防護衣類アセンブリのさらなる実施形態の正面図である。
【図８】本発明による、独立型の着用できる保護具の異なる実施形態の背面図である。
【図９】本発明による、独立型の着用できる保護具の異なる実施形態の背面図である。
【図１０】本発明による、独立型の着用できる保護具の異なる実施形態の背面図である。
【発明を実施するための形態】
【００３４】
以下の説明においては、「独立型の器具」として、適切にその機能を達成するために、いかなる他の器具にも接続される必要がない器具が示されるであろう。具体的には、「独立型の器具」として、いかなる他の器具からも独立して動作することができる器具が意味されねばならない。
【００３５】
「内面」または「内部」として、使用中、すなわち、使用者によって装着されるときに、使用者の身体に近い、器具およびその個々の構成要素の表面または部分が示され、「外面」または「外部」として、使用中、内面または内部と反対側である、器具およびその個々の構成要素の表面または部分が示されるであろう。
【００３６】
添付の図面を参照して、本発明による独立型の着用できる保護具の例が、参照数字１により、その全体として示される。この独立型の着用できる保護具１は、特に、オートバイ運転者によって使用されるのに好適である。にもかかわらず、独立型の着用できる保護具１は、自転車乗り、または、使用者の身体の効果的な保護が得られなければならない他の分野において、効果的に使用され得ることが、以下の説明からより明らかになるであろう。
【００３７】
独立型の着用できる保護具１は、シャツやＴシャツのような、使用者によって装着されるのに適した、薄層の支持布２を含む。薄層の支持布２は、使用者の体の少なくとも胴部を覆う。
【００３８】
独立型の着用できる保護具１は、また、薄層の支持布２に設けられたシート１９内に収容される少なくとも一つの膨張可能な袋１３、および、膨張手段として作用する、少なくとも一つのガス発生器１２を含む。ガス発生器１２は、少なくとも一つの膨張可能な袋１３に接続され、それは、薄層の支持布２に直接的または間接的に固定される。
【００３９】
独立型の着用できる保護具１は、さらに、薄層の支持布２に、また、直接的または間接的に固定される、制御ユニット１０を含み、それは、膨張手段１２を作動させるのに適している。
【００４０】
独立型の着用できる保護具１は、また、制御ユニット１０に接続され、薄層の支持布２に設けられる感知手段５を含む。
【００４１】
制御ユニット１０は、感知手段５によって、危険な状況が検出されるとき、ガス発生器１２を作動させるのに適している。
【００４２】
これまでになされた定義によれば、本発明の着用可能な保護具１は、そのすべての機能要素、すなわち、膨張可能な袋１３、感知手段５、制御ユニット１０、および、ガス発生器１２が、薄層の支持布２に配置されているので、独立型の器具である。独立型の着用できる保護具１を着用した後、使用者は、着用できる保護具１を作動させるために、着用できる保護具１のどの構成要素をも外部器具と接続する必要はない。
【００４３】
例えば、制御ユニット１０は、外部電源に結合される必要はなく、ガス発生器１２は、外部ガス源に接続される必要はない。さらに、制御ユニット１０は、適切にその機能を実現するために、独立型の着用できる保護具１の外部に配置された感知部品を必要としない。
【００４４】
感知手段５、および、着用できる保護具１の様々な構成要素間の接続部材でさえ、薄層の支持布２に配置される。いずれにしろ、ネットワーク接続具は、無線であり得る。
【００４５】
図１、図２および図２Ａに示される実施形態によれば、薄層の支持布２は、使用者の体の胴部、臀部、および、少なくとも部分的に腕部を覆う。
【００４６】
図６、図７、および、図１０に示される実施形態によれば、薄層の支持布２は、使用者の体の胴部と、少なくとも部分的に腕部を覆う。
【００４７】
図８に示される実施形態によれば、薄層の支持布２は、使用者の体の胴部のみを覆う。
【００４８】
図９に示される実施形態によれば、薄層の支持布２は、使用者の体の胴部と、臀部を覆う。
【００４９】
明らかに、薄層の支持布２の異なる配置は、他の特定の必要性を満たすために、可能である。
【００５０】
使用者は、シャツやＴシャツと同様に、薄層の支持布２、したがって、全体の独立型の着用できる保護具１を着用し得ることが、添付の図面から理解されるであろう。
【００５１】
図１に示された独立型の着用できる保護具の実施形態を参照して、独立型の着用できる保護具１の着用をより簡単にするために、独立型の着用できる保護具１は、フロントファスナー７を設けられ得る。フロントファスナー７は、薄層の支持布２の袖に、彼／彼女の腕を挿入した後、使用者によって閉じられ得る。
【００５２】
使用者の身体上でのより良いフィット性を確保するため、独立型の着用できる保護具１は、締結用腰紐８を設けられ得る。
【００５３】
薄層の支持布２によって達成される機能は、特に、使用者の動きを妨げることなく、独立型の着用できる保護具１の様々な構成要素を支持することである。実際のところ、いくつかの実施形態によれば、薄層の支持布２は、摩耗および摩擦応力に実質的に抵抗し得ない、薄い材料で形成される。したがって、そのような薄層の支持布２は、それが、障害物や地面と直接的に接触するに至る場合には、多少の断裂または損傷を受け得る。
【００５４】
好ましくは、薄層の支持布２は、ポリエステル、ポリアミド、または他の合成繊維で作られる。
【００５５】
薄層の支持布２は摩耗に対する保護を提供する必要がないので、小さな厚さを有し得る。好ましい実施形態によれば、薄層の支持布２は、０．１ｍｍから０．６ｍｍの間に含まれる厚さを有する。好ましくは、薄層の支持布２は、約０．３ｍｍの厚さを有する。
【００５６】
薄層の支持布２の減少された厚さは、独立型の着用できる保護具１が、通常の乗車運転中に使用者を妨げることなく、彼の身体に密着したままであることを可能にする。以下に詳細に開示されるように、薄層の支持布２の減少された厚さは、独立型の着用できる保護具１が、異なる衣服の下と、上の両方に、容易に着用されることを可能にする。
【００５７】
さらに、いくつかの実施形態によれば、薄層支持布２は、良好な弾性特性を有し、その結果、それは、使用者の身体の異なる形状にそれ自身で容易に適応し得る。さらに、その弾力性により、薄層の支持布２は、膨張可能な袋１３が作動されるとき、膨張可能な袋１３の膨張を妨げず、それが、非常に短い時間でその最大容積に到達することを可能にする。
【００５８】
薄層の支持布２の構造は、使用者の身体を圧縮しないように、膨張可能な袋１３の膨張が、独立型の着用できる保護具１の外方に向かって生じることを可能にする。
【００５９】
好ましくは、制御ユニット１０とガス発生器１２は、使用者の背部を覆う薄層の支持布２の一部に適用される。
【００６０】
好ましい実施形態では、ガス発生器１２と制御ユニット１０が適用される領域において、薄層の支持布２は、衝撃吸収発泡体を備える。衝撃吸収発泡体は、薄層の支持布２に適用され、制御ユニット１０とガス発生器１２に直接接触することから、使用者の背中を保護するのに適している。
【００６１】
さらに、衝撃吸収発泡体は、膨張可能な袋１３が膨張されない事故の場合に、使用者の背中が、制御ユニット１０およびガス発生器１２と直接的に衝突することを防止するのに適している。
【００６２】
図２Ａ、図８、図９、図１０を参照すると、独立型の着用できる保護具１は、好ましくは、半硬質の背中保護体３を含む。半硬質の背中保護体３は、着用できる保護具１が使用者によって着用されるとき、使用者の背中部分を覆うのに適している。
【００６３】
さらに、図３に明瞭に示されるように、半硬質の背中保護体３は、制御ユニット１０とガス発生器１２を収容するのに適している。
【００６４】
好ましくは、半硬質の背中保護体３は、例えば縫着によって、薄層の支持布２に不変的に固定される。
【００６５】
半硬質の背中保護体３は、薄層の支持布２が適切に着用されたとき、使用者の背中の上で長手方向に延び、使用者の脊椎の領域を覆うように成形される。
【００６６】
半硬質の背中保護体３は、好ましくは、楕円の外側輪郭を有する。
【００６７】
図３の実施形態を参照すると、半硬質の背中保護体３の外面は、ポリプロピレンのようなポリマー材料で作られた複数の要素９Ａ、９Ｂ、９Ｃを含み得る。好ましくは、半硬質の背中保護体３の内面に、衝撃吸収発泡体１４が適用される。衝撃吸収発泡体１４は、発泡ポリスチレンまたは他のエネルギー吸収材から製造され得る。
【００６８】
要素９Ａ、９Ｂ、９Ｃは、少なくとも一つの膨張可能な袋１３と一緒に、衝撃吸収発泡体１４上で、使用者の背中に作用する衝撃力を分散させることを支援する。同時に、要素９Ａ、９Ｂ、９Ｃは、衝撃吸収発泡体１４と一緒に、膨張可能な保護器具の制御ユニット１０およびガス発生器１２のための筐体として機能する。実際には、制御ユニット１０とガス発生器１２は、要素９Ａ、９Ｂ、９Ｃと衝撃吸収発泡体１４との間に配置される。
【００６９】
図３の実施形態を参照すると、中央要素９Ｂは、制御ユニット１０を収容するように設計された開口部１１を有し得、搭載された時に、制御ユニット１０は、背中保護体３の連続的な滑らかな外面を完成させる。
【００７０】
しかしながら、図２Ａおよび図８に示されるような他の実施形態では、制御ユニット１０は、背中保護体３の内部に完全に隠され得る。
【００７１】
ガス発生器１２は、好ましくは、背中保護体３の要素９Ｃに固定される。背中保護体３の一部である要素９Ｃは、使用中、使用者の腰部に重ねられる。
【００７２】
図３に示される実施形態では、ガス発生器１２は、２つの固定リング１５によって要素９Ｃの内面に固定された、円筒状のガス発生器から成る。
【００７３】
要素９Ｃに設けられた適切な形状の開口部１６を通してそのような固定リング１５に作用することが可能である。そのような開口部１６は、独立型の着用できる保護具１が使用時にあるとき、対応する蓋１７によって覆われ得る。
【００７４】
独立型の着用できる保護具１は、好ましくは、単一の膨張可能な袋１３を含む。好ましくは、単一の膨張可能な袋１３は、使用者の胸、肋骨、肩、背中、および臀部を覆うように、薄層の支持布２に配置される。
【００７５】
しかし、単一の膨張可能な袋１３の異なる配置は、他の特定の必要を満たすために、可能である。
【００７６】
明らかに、独立型の着用できる保護具１は、複数の膨張可能な袋１３を含み得、膨張可能な袋１３は、身体の他の部分を覆うのに、および、互いに組み合わせて作動させるのに適している。
【００７７】
各々の膨張可能な袋１３は、薄層の支持布２に配置されたシート１９内に収容されている。シートとして、薄層の支持布２に適用される膨張可能な袋１３を支持し、適切な位置に維持するのに好適な、薄層の支持布２の部分または要素が示されねばならない。シート１９は、好ましくは、薄層の支持布２の内面に配置されたポケットとして構成される。
【００７８】
膨張可能な袋１３が収容されるポケット１９は、有利には、薄層の支持布２と同じ材料で作られ得る。
【００７９】
好ましくは、膨張可能な袋１３は、ポリアミドなどのシート材料から作られる。類似の膨張可能な袋は、同じ出願人の名義で出願された特許文献２に開示されている。
【００８０】
膨張可能な袋は、大きな膨張を達成することができ、それは、折り畳まれ、または、詰められることを必要とすることなく、平坦な形状で、そのシート内に挿入され得る。このようにして、薄層の支持布２上への膨張可能な袋の提供は、薄層の支持布２をかさばらせず、使用者が独立型の着用できる保護具を装着することを妨げない。
【００８１】
各ポケット１９は、そこを通して、膨張可能な袋１３の開口部が、ガス発生器１２に、直接、または、接続チューブによって、接続され得る、適切な開口を備える。
【００８２】
有利には、図３に示されるように、膨張可能な袋１３は、適切なポケット１９の内側の背中保護体３の下に配置され得る。この場合には、膨張可能な袋１３と対応するポケット１９は、ガス発生器１２と制御ユニット１０の下に配置される。
【００８３】
この場合、更なる補強層２２が、使用者に追加の快適さを提供するために、および、薄層の支持布２のより良い構造化のために、ポケット１９の下方に設けられる。この補強層２２は、発泡フォームおよび／または堅い織物で構成され得、背中保護体３の全体構造の重量配分のための手段を提供し得る。
【００８４】
図３の実施形態によれば、固定リング２１は、膨張可能な袋１３の開口部をガス発生器１２に固定するために、ガス発生器１２の開通リップ１８上で使用され得る。有利には、開通リップ１８は、膨張可能な袋１３が、膨張中にガス発生器１２によって放出されることを防止するように、固定用リングと協働する。
【００８５】
ガス発生器１２の端部に膨張可能な袋１３の開口部を固定するために、着用できる保護具１の別の実施形態は、解放可能な固定手段の使用を想定する。
【００８６】
この事例において、薄層の支持布２は、腰部に、ファスナー２６を設け得る（図２、図２Ａおよび図９を参照）。この場合、使用者は、ファスナー２６を開いた後、ガス発生器１２が収容された、背中保護体３の部分にアクセスし得る。続いて、使用者は、解放可能な固定手段を緩め、空のガス発生器１２を新しいものと交換し得る。
【００８７】
好ましくは、独立型の着用できる保護具１は、単一のガス発生器１２を備える。しかし、本発明のあり得る実施形態は、複数のガス発生器１２の使用を想定する。
【００８８】
この特定の実施形態では、感知手段５によって衝突状況が検出された場合、複数のガス発生器１２が、同時に、または、所定のシーケンスに従って、制御ユニット１０によって作動させられ得る。
【００８９】
このように、独立型の着用できる保護具１が、複数の膨張可能な袋１３を含む場合、各々の膨張可能な袋１３は、異なるガス発生器１２によって膨張させられ得る。
【００９０】
別の方法では、膨張可能な袋１３が、チャンバの緩やかな収縮を可能にするための脱気口を備えるなら、袋が一旦膨張させられると、それは、ゆっくりと収縮し、それにより、次のガス発生器は、将来における異なる時間に作動させられ得る。このように、独立型の着用できる保護具は、メンテナンスや充電を受けることを必要とせずに、たとえ同じレース中であっても、再び使用され得る。この場合、膨張袋１３に重畳される薄層の支持布２の部分は、薄層の支持布の弾性により、膨張可能な袋１３からのガスの排出を支援する圧縮力を、膨張可能な袋１３に加え得る。
【００９１】
予想されたように、独立型の着用できる保護具１は、制御ユニット１０に接続され、薄層の支持布２の上に配置された感知手段５を含む。
【００９２】
感知手段５は、好ましくは、それらの要素を支持することを意図される、プリント回路基板３５、またはＰＣＢを含む。図３Ａおよび図３Ｂの実施形態によれば、ＰＣＢ３５は、「Ｔ」形状を有する。ＰＣＢ３５は、可撓性支持体３６を使用して薄層の支持布２に配置される。可撓性支持体３６は、好ましくは、ゴム製である。さらに、可撓性支持体３６は、恒久的に、または、取り外し可能に、薄層の支持布２に固定され得る。
【００９３】
可撓性支持体３６は、ＰＣＢを少なくとも部分的に収容するために、例えば、Ｔ字型のＰＣＢ３５のヘッド端３８を少なくとも部分的に収容するために適した、キャビティ３７を含む。
【００９４】
可撓性支持体３６の内部にＰＣＢ３５を挿入するための有利な方法によれば、可撓性支持体３６は、ＰＣＢ３５が、支持体３６のキャビティ３７の内部に少なくとも部分的に挿入されることを可能にするために撓められる。支持体３６が解放されると、センサ５は、所定の位置に保持される。具体的には、可撓性支持体３６の内部にＴ字型のＰＣＢ３５の挿入を可能にするために、可撓性支持体３６は、Ｔ字型ＰＣＢ３５のヘッド端３８が、支持体３６のキャビティ３７内に挿入されることを可能にするために撓められる。支持体３６が解放されると、センサ５は、所定の位置に保持される。
【００９５】
このようにして、それらが置換される必要がある場合には、薄層の支持布２の一体性を損なうことなく、センサ５を交換することが容易である。
【００９６】
代わりに、感知手段５は、薄層の支持布２に一体化され得る。
【００９７】
薄層の支持布２に一体化されることは、感知手段５が、薄層の支持布２の内面または外面に設けられたシートまたはポケットに配置されることを意味する。
【００９８】
この実施形態では、感知手段５は、シートまたはポケット内に配置されるほか、以前に開示された可撓性支持体を使用して、薄層の支持布２に、また、固定され得る。
【００９９】
好ましくは、ポケットの開口部は、シールによって閉鎖される。この場合、ポケットは、使用者がシールを破ることなしに、ポケットの内部にアクセスすることができないように閉じられている。
【０１００】
感知手段５は、好ましくは、加速度計であり、独立型の着用できる保護具の外部の任意の他のセンサ（例えば、オートバイに搭載される）から独立している。感知手段５は、薄層の支持布２の異なる領域に配置され得る（添付図面の実施形態においては、明確にするため、薄層の支持布２の肩部分に位置決めされたセンサのみが示される）。
【０１０１】
そのような感知手段５は、有線４５、および／または、無線接続によって、独立型の着用できる保護具１の制御ユニット１０に接続される。
【０１０２】
薄層の支持布２に配置された様々なセンサ５によって受信される入力は、継続的に、制御ユニット１０により監視され、衝突状況が検出された場合（組み込み済みの論理式に従って）、発射信号が、ガス発生器１２に伝達され、約５０〜１００ミリ秒での、膨張可能な袋１３の急速な膨張を許容する。
【０１０３】
上記の説明から、独立型の着用できる保護具１は、単独で、または使用者により着用される衣服の上で使用されるのに好適であることが理解され得る。
【０１０４】
独立型の着用できる保護具１が単独で使用される場合、薄層の支持布２は、摩耗および摩擦応力に耐えることができず、追加の保護要素２４，２５が、薄層の支持布２の外表面に付加され得る。追加の保護要素２４、２５の機能は、独立型の着用できる保護具１により提供される衝撃保護を改善し、摩耗および引き裂きに対して膨張可能な袋１３を保護することである。
【０１０５】
図６に示されるように、追加の保護要素２４，２５は、肩保護要素２４、および／または、胸部保護要素２５を含み得、それらは背中保護体３と組み合わせて使用され得る。
【０１０６】
上述したように、独立型の着用できる保護具１は、また、通常の衣服の上、または、防護衣服の上に着用され得る。
【０１０７】
通常の衣服として、使用者の身体の一部を覆うために単純に設計された衣服が意図されねばならず、一方、防護衣服として、使用者の身体の少なくとも一部を覆うと同時に、いくつかの方法で保護するように設計された衣服が意図されねばならない。
【０１０８】
両方の場合において、独立型の着用できる保護具１の下に着用される衣服が、独立型の着用できる保護具１と組み合わせて使用されるように、具体的に設計されていることは必要とされない。
【０１０９】
実際のところ、その弾性特性のために、薄層の支持布２は、使用者によって下に着用される衣服に、それ自身で適応し得る。
【０１１０】
このことは、彼／彼女が、独立型の着用できる保護具１と一緒に使用されるように具体的に設計された衣服を所有していない場合でも、ライダーが、独立型の着用できる保護具１によって提供される高レベルの保護から利益を得ることを許容する。
【０１１１】
また、この事例において、追加の材料層、および、背中保護体３のものに加え、別のプラスチック保護体の可能な追加は、独立型の着用できる保護具１の衝撃保護、および、摩耗抵抗を改善するために、薄層の支持布２に付加され得る（図６参照）。
【０１１２】
上記の説明によれば、独立型の着用できる保護具１は、一般的な衣服の下に着用されるのに適していないことが留意されるべきである。実際問題として、薄層の支持布２の上に着用される衣服は、膨張可能な袋の正確な膨張を、不可避的に妨げるであろう。そのような膨張は、危険な状況の場合に、外向きよりも、それに代わって、使用者の身体に向けて生ずるであろう。
【０１１３】
したがって、摩耗抵抗性衣服の下においても、また、独立型の着用できる保護具１の使用を可能にするために、新規かつ革新的な防護衣類アセンブリが考案された。
【０１１４】
そのような防護衣類アセンブリは、摩耗と摩擦応力とに抵抗性の材料で作られた、適合性のある防護服３０、５０、および、上記において開示された、独立型の着用できる保護具１を含む。
【０１１５】
適合性のある防護衣服として、独立型の着用できる保護具１が適合性のある防護衣服の下に着用されるとき、独立型の着用できる保護具１の少なくとも一つの膨張可能な袋１３の上に少なくとも部分的に重ねられるのに適した、可撓領域３１，３２、５１を備える保護衣服が、意図されねばならない。
【０１１６】
この事例において、可撓領域３１、３２、５１は、衝突状況の検出に続き、一旦、膨張可能な袋１３が、独立型の着用できる保護具１のガス発生器１２によって膨張させられると、膨張可能な袋１３が膨張することを可能にする。
【０１１７】
さらに、可撓領域３１、３２、５１は、また、膨張可能な袋１３が膨張させられるとき、ライダーにかけられる圧力を軽減できる。
【０１１８】
本発明による防護衣類アセンブリの第１の実施形態は、耐摩耗スーツ３０と独立型の着用できる保護具１を含む。
【０１１９】
独立型の着用できる保護具１が、適合性のある耐摩耗性スーツ３０の下に着用されるときの、図１の独立型の着用できる保護具１の例示の実施形態のハッチング輪郭が、図４に概略的に示される。適合性のあるスーツ３０は、頭部、手および足を除いて、使用者の身体の全体を覆うように設計される。当技術分野でよく知られているように、スーツ３０は、肩、肘、膝および背中の領域内の保護要素４０を備え得る。
【０１２０】
図４の例示の実施形態によれば、適合性のあるスーツ３０は、脇の下、腕および脚の付け根の領域に、可撓領域３１、３２を備える。可撓領域３１，３２は、好ましくは、伸縮性材料で作られる。
【０１２１】
スーツ３０の腕や脇の下の部分に沿って配置される伸縮性のある領域３１は、使用者の身体の肩、胸、背中を保護するために設計された、下側の膨張可能な袋１３の部分が、スーツ３０の皮革または耐摩耗性材料によって妨害されることなく膨張することを可能にする。
【０１２２】
同様に、スーツ３０の鼠蹊部に沿って配置される伸縮性のある領域３２は、使用者の身体の臀部を保護するために設計された、下側の膨張可能な袋１３の部分が、スーツ３０の皮革または耐摩耗性材料によって妨害されることなく膨張することを可能にする（図５参照）。
【０１２３】
さらに、伸縮性のある領域３１、３２を設けることで、膨張可能な袋１３の膨張の時は、独立型の着用できる保護具１の薄層の支持布２の上のスーツ３０の存在にもかかわらず、わずかな程度遅延されるだけである。したがって、独立型の着用できる保護具１が、適合性のあるスーツ３０の下に着用されるときに、独立型の着用できる保護具１によって提供される安全性のレベルは、独立型の着用できる保護具１が、それ単独で着用されるときに提供されるレベルに匹敵する。
【０１２４】
さらに、伸縮性のある領域３１，３２、５１を設けることは、それらが、ライダーの落下の場合に、めったに地面と直接接触しない領域に配置されるので、スーツ３０によって提供される耐摩耗性を低下させない。
【０１２５】
本発明による防護衣類アセンブリの第２の実施形態は、耐摩耗性ジャケット５０と独立型の着用できる保護具１を含む。
【０１２６】
図７において、皮革や他の耐摩耗性材料で作られた適合性のある保護ジャケット５０の下に着用されるときの、図６の独立型の着用できる保護具１の例示の実施形態のハッチングされた外郭が示される。
【０１２７】
当技術分野でよく知られているように、保護ジャケット５０は、肩、肘および背中の領域に保護要素５５を備え得る。
【０１２８】
図７の例示の実施形態によれば、適合性のある保護ジャケット５０は、脇の下、腕の領域内の可撓領域５１を備える。可撓領域５１は、好ましくは、伸縮性材料で作られる。
【０１２９】
ジャケット５０の腕や脇の下の部分に沿って配置された可撓領域５１は、使用者の身体の肩部、胸部および背中部を保護するために設計された、下側の膨張可能な袋１３の一部が、ジャケット５０の皮革や耐摩耗性材料によって邪魔されることなく膨張することを可能にする。
【０１３０】
適合性のあるスーツ３０を参照して以前に述べたように、可撓領域５１を設けることで、独立型の着用できる保護具１の薄層の支持布２の上のジャケット５０の存在にもかかわらず膨張可能な袋１３の膨張の時間は、わずかな程度に遅れるだけである。したがって、それが適合性のあるジャケット５０の下に着用されるとき、独立型の着用できる保護具１によって提供される安全性のレベルは、それ単独で着用されるときに提供されるものに匹敵する。
【０１３１】
可撓領域３１、３２、５１の異なる配置は、他の特定のニーズを満たすために、可能である。さらに他の配置が、膨張可能な袋１３の膨張を可能にするために、防護衣服３０、５０に対して使用され得る。例えば、外側に開き得るフラップが、外側の耐摩耗性衣服に、設けられ得る（同様の解決策のための、同一出願人の名義の、特許文献１を参照）。
【０１３２】
フラップは、ベルクロ（Ｖｅｌｃｒｏ（登録商標））ストリップ、または、フラップの縁部に沿って配置され、所与の破壊強度を備えるステッチによって、摩耗防護スーツ３０またはジャケット５０に、離脱可能に結合され得る。
【０１３３】
独立型の着用できる保護具１の革新的なコンセプトは、純粋に、上掲の実施形態に限定されない。独立型の着用できる保護具１の単一の膨張可能な袋または複数の膨張可能な袋は、ジャケット（上半身保護）やパンツ（下半身の保護）のように、異なる耐摩耗性衣服と共に作動させるように、また、使用者の身体の異なる領域を覆うように、拡大または縮小され得る。
【０１３４】
ガス発生器１２と制御ユニット１０の配置は、また、薄層の支持布２の適用範囲におけるどこにでも位置され得る。
【０１３５】
上記の説明から、本発明の独立型の着用できる保護具１を用いることにより、使用者がもはや膨張可能な器具の重複するセットを所有することを強いられないことは明らかである。実際のところ、彼／彼女は、異なる耐摩耗性の衣服と一緒に、同一の独立型の着用できる保護具１を使用し得る。
【０１３６】
さらに、独立型の着用できる保護具が再充電される必要があるとき、それは、他のどの保護構成要素または衣服からも独立しているので、それは、修理センターに単独で送られ得る。このようにして、所有とメンテナンスのコストの大幅な低減が達成される。
【０１３７】
例えば、もし、ライダーが、耐摩耗性衣服の下に、独立型の着用できる保護具を着用し、彼／彼女が、独立型の着用できる保護具の作動を引き起こさないが、外側の耐摩耗性衣服に損傷を引き起こす、小さな事故に関与するなら、同一の独立型の着用できる保護具が、別の耐摩耗性衣服と共に、単純に着用され得る。
【０１３８】
実際のところ、ライダーは、予備で、別の完全な革のスーツ（膨張可能な保護器具付き）を持つ必要はない。本発明の独立型の着用できる保護具１を使用することにより、ライダーは、単に、彼の体から損傷した革のスーツ（膨張可能な保護装置が設けられていない）を除去し、彼／彼女の独立型の着用できる保護具をその位置に保つことによって、彼／彼女は、新しいスーツを着用できる。
【０１３９】
このように、膨張可能な保護器具を備えた衣服によって提供される同じレベルの安全性を得るために、ライダーは、新しい膨張可能な器具を備えた新しい耐摩耗性衣服を購入することを強いられない。
【０１４０】
さらに、独立型の着用できる保護具の技術的特徴により、ライダーは、異なる衣服と一緒に、独立型の着用できる保護具を交換可能に使用する機会を有することが留意されるべきである。
【０１４１】
本発明は、好ましい実施形態を参照して説明されたが、機械的に同等の解決策は、以下の特許請求の範囲の範囲内に、予測可能に属している。
【図１】
0006492117.tif 000002
【図２】
0006492117.tif 000003
【図２Ａ】
0006492117.tif 000004
【図３】
0006492117.tif 000005
【図３Ａ】
0006492117.tif 000006
【図３Ｂ】
0006492117.tif 000007
【図４】
0006492117.tif 000008
【図５】
0006492117.tif 000009
【図６】
0006492117.tif 000010
【図７】
0006492117.tif 000011
【図８】
0006492117.tif 000012
【図９】
0006492117.tif 000013
【図１０】
0006492117.tif 000014